(57)【特許請求の範囲】
【請求項１】
バネのフック部に引っ掛かるリングを装置に着脱可能なバネの引っ張り具において、
前記リングを挟みながら前記フック部に引っ掛かり可能な二股のフックと、
前記二股のフックを一括して引っ張り可能な柄と、を備えることを特徴とするバネの引っ張り具。
【請求項２】
前記二股のフックは前記リングと略同じ曲率を有することを特徴とする請求項１に記載のバネの引っ張り具。
【請求項３】
前記二股のフックは前記リングの線径と略同じ距離の隙間を隔てて略平行に延びることを特徴とする請求項１または２に記載のバネの引っ張り具。
【発明の詳細な説明】
【技術分野】
【０００１】
本発明はバネの引っ張り具に関する。
【背景技術】
【０００２】
例えば、自動車のドア、テールゲート、トランクリッド、フードなどのようにヘミング（Ｈｅｍｍｉｎｇ）加工で一体化される内部パネルと外部パネルとを備える構造物が知られている。この種の構造物に適用されるヘミング加工は、外部パネルの外周縁を折り曲げ、内部パネルの外周縁を外部パネルの外周縁で取り囲み、内部パネルと外部パネルとを結合する。ヘミング加工は、構造物の予備曲げにリンクユニットと呼ばれる揺動可能な装置を使用する。リンクユニットは比較的強力なコイルバネを備える。コイルバネは、フック部に引っ掛かるリングを介してリンクユニットに装着され、リンクユニットの揺動を一方向へ引っ張る。
【０００３】
そして、このコイルバネをリンクユニットへ着脱するときに使用するＪ文字型の工具やＣ文字型の工具が知られている。
【先行技術文献】
【特許文献】
【０００４】
【特許文献１】実開平６−１７８８１号公報
【発明の概要】
【発明が解決しようとする課題】
【０００５】
従来のコイルバネの着脱工具、特にＪ文字型の工具は、リンクユニットにコイルバネ引っ張るリングを引っ掛けた後、リングから引き抜くことが難しく、せっかく引っ掛かけたリングがリンクユニットから誤ってはずれてしまう虞もあった。また、Ｊ文字型の工具は、リンクユニットからコイルバネを取り外すとき、リングとリンクユニットとの間に差し込むことが難しく、リンクユニットやリングをこじって損傷してしまう虞もあった。
【０００６】
他方、Ｃ文字型の工具は、Ｊ文字型工具のようにリングとリンクユニットとの間に差し込む必要がなく、リングを引っ張りながらコイルバネを引き伸ばすことができる一方で、コイルバネとリングとの引っ掛かり部分およびリングと工具との引っ掛かり部分を介してコイルバネを引き伸ばすため、引っ掛かり部分のいずれかが不意に外れるとコイルスプリングやリングの飛散を招く虞があり、未だ危険性を有している。
【０００７】
そこで、本発明は、コイルバネのフック部に引っ掛かるリングの脱落を防止しつつ、フック部そのものに引っ掛かることでコイルバネをより安全、確実に引き伸ばすことが可能なバネの引っ張り具を提供することを目的とする。
【課題を解決するための手段】
【０００８】
前記の課題を解決するため本発明に係るバネの引っ張り具は、バネのフック部に引っ掛かるリングを装置に着脱可能なバネの引っ張り具において、前記リングを挟みながら前記フック部に引っ掛かり可能な二股のフックと、前記二股のフックを一括して引っ張り可能な柄と、を備えることを特徴とする。
【発明の効果】
【０００９】
本発明によれば、コイルバネのフック部に引っ掛かるリングの脱落を防止しつつ、フック部そのものに引っ掛かることでコイルバネをより安全、確実に引き伸ばすことが可能なバネの引っ張り具を提供できる。
【図面の簡単な説明】
【００１０】
【図１】本発明の実施形態に係るバネの引っ張り具を示す斜視図。
【図２】本発明の実施形態に係るバネの引っ張り具の使用状態を示す斜視図。
【図３】本発明の実施形態に係るバネの引っ張り具の使用状態を示す斜視図。
【発明を実施するための形態】
【００１１】
本発明に係るバネの引っ張り具の実施形態について、図１から図３を参照して説明する。
【００１２】
図１は、本発明の実施形態に係るバネの引っ張り具を示す斜視図である。
【００１３】
図２および図３は、本発明の実施形態に係るバネの引っ張り具の使用状態を示す斜視図である。
【００１４】
図１から図３に示すように、本実施形態に係るバネの引っ張り具１は、バネ１１のフック部１２に引っ掛かるリング１３を装置２１に着脱可能な工具または治具である。使用者は、バネの引っ張り具１を使用してバネ１１を自然長から適宜に伸ばして装置２１に装着し、または既に装置２１に装着されているバネ１１を取外す。
【００１５】
ここで先ず、装置２１は、例えばヘミング加工を行うヘミング装置（図示省略）のリンクユニットであり、この他にバネ１１の引張り力を利用するものであれば良い。装置２１は、リング１３の内径よりも細い一対の軸部２２を備える。軸部２２は、バネ１１を引っ掛ける部分であり、バネ１１の弾性力を装置２１に伝える。一対の軸部２２は、バネ１１の自然長よりも遠隔し、リング１３を介して引っ掛かるバネ１１を引き伸ばす。
【００１６】
バネ１１はコイルバネであり、所謂引張バネであり、両端部に鉤状のフック部１２を備える。
【００１７】
リング１３はフック部１２を引っ掛けたまま軸部２２を挿入可能な内径を有する。
【００１８】
バネの引っ張り具１は、リング１３を挟みながらフック部１２に引っ掛かり可能な二股のフック２と、二股のフック２を一括して引っ張り可能な柄３と、を備える。バネの引っ張り具１は、フック２でリング１３を挟み込んだままフック部１２をフック２に引っ掛け、フック部１２を直接的に柄３で引っ張り、すなわちバネ１１を直接的に柄３で引っ張り、引き伸ばしてバネ１１の着脱を行うことができる。
【００１９】
二股のフック２は、リング１３を跨ぐようにしてバネ１１のフック部１２に引っ掛かる。また、二股のフック２は、リング１３と略同じ曲率を有する。これにより、フック２は、フック部１２に引っ掛かった状態でリング１３の一部に重なる。二股のフック２は、リング１３の線径と略同じ距離の隙間を隔てて略平行に延びる。これにより、フック２は、フック部１２に引っ掛かった状態でしっかりとリング１３を隙間に納める。
【００２０】
なお、二股のフック２は、リング１３を挟み込んでその捻れを抑制可能な範囲で、一方のフック２が短くても良い。同様に、二股のフック２は、リング１３を挟み込んでその捻れを抑制可能な範囲で、それぞれの形状が異なっていても良い。
【００２１】
柄３は、使用者の握りやすい適宜の形状、例えばＴ文字形状である。この他、柄３は油圧シリンダなどバネ１１を引き伸ばす力を発生する適宜の装置に接続可能な継手構造であっても良い。
【００２２】
さらに、具体的には、バネの引っ張り具１は、Ｔ文字形状の柄３と、柄３の先端に接合される小リング部５と、小リング部５に接合されるＳ文字形状の一対のフック２と、を備える。
【００２３】
小リング部５はリング１３と略同じ、または若干大きい線径を有し、リング１３を円滑に挟み込めるよう一対のフック２を隔てる。
【００２４】
一対のフック２は小リング部５に接合される小径端部２ａと、リング１３を挟み込んでフック部１２に引っ掛かり可能な大径端部２ｂと、を備える。小径端部２ａおよび大径端部２ｂはともに円弧状に開き、全体でＳ文字状に連接する。大径端部２ｂは、装置２１の軸部２２を内外へ出し入れ可能な切り欠きのある円弧である。
【００２５】
このように構成されたバネの引っ張り具１の使用方法について説明する。
【００２６】
使用者は、バネ１１の一方の端部（ここでは下端側）のフック部１２ａに引っ掛かるリング１３ａを装置２１の一方の軸部２２ａに引っ掛け、バネ１１の他方の端部（ここでは上端側）のフック部１２ｂに引っ掛かるリング１３ｂを装置２１の他方の軸部２２ｂに引っ掛けて装置２１にバネ１１を装着する。
【００２７】
このとき、使用者は、リング１３ａを軸部２２ａに引っ掛けたのち、バネの引っ張り具１の一対のフック２の隙間にリング１３ｂを挟み込みながらフック部１２ｂに一対のフック２を引っ掛け、柄３を引っ張ってバネ１１を引き伸ばす。そして、使用者はバネ１１を適宜の長さに保ちながらリング１３ｂを軸部２２ｂに嵌める。一対のフック２はリング１３ｂと略同じ曲率であるため、リング１３ｂを挟み込んだまま軸部２２ｂに円滑に嵌まり、バネ１１を軸部２２ｂに引っ掛け可能な位置へ案内する。
【００２８】
他方、使用者は、装置２１の他方の軸部２２ｂに引っ掛かるリング１３ｂを取り外し、装置２１の一方の軸部２２ａに引っ掛かるリング１３ａを取り外して装置２１からバネ１１を離脱する。
【００２９】
このとき、バネの引っ張り具１の一対のフック２の隙間にリング１３ｂを挟み込みながらフック部１２ｂに一対のフック２を引っ掛け、柄３を引っ張ってバネ１１を引き伸ばす。そして、使用者はバネ１１を適宜の長さに延びると軸部２２ｂからリング１３ｂを外す。一対のフック２はリング１３ｂと略同じ曲率であるため、リング１３ｂを挟み込んだまま軸部２２ｂから円滑に外れ、バネ１１を軸部２２ｂから取り外し可能な位置へ案内する。
【００３０】
なお、バネ１１の着脱に際して、使用者はバネの引っ張り具１を必ずしも人力で使用する必要は無く、油圧シリンダのような動力を適宜使用してバネの引っ張り具１を引っ張っても良い。
【００３１】
本実施形態に係るバネの引っ張り具１は、バネ１１を直接的に引き伸ばすことが可能であり、リング１３を介してバネ１１を引き伸ばす従来の工具に比べてバネ１１を引っ張る力を安定的に伝えることが可能であり、より安全な着脱を可能にする。
【００３２】
また、本実施形態に係るバネの引っ張り具１は、リング１３をフック２で挟み込んでバネ１１を引き伸ばすため、バネ１１を引っ張っている最中であってもリング１３の運動（特に捻れ）を抑制し、フック２ごとリング１３を装置２１から円滑で、安全に取り外すことができる。
【００３３】
さらに、本実施形態に係るバネの引っ張り具１は、バネ１１を直接的に引き伸ばして着脱でき、かつバネ１１の引き伸ばしに係わらずリング１３の安定を保てるため、バネの引っ張り具１からバネ１１が不意に外れて飛散するような虞が極めて低い。
【００３４】
さらにまた、本実施形態に係るバネの引っ張り具１は、二股のフック２をリング１３と略同じ曲率にすることで、リング１３の挟み込み状態の安定をより高め、バネ１１のより安全な着脱を可能にする。
【００３５】
また、本実施形態に係るバネの引っ張り具１は、二股のフック２の隙間の距離をリング１３の線径と略同じにすることで、フック２に挟み込んだリング１３をしっかりと保持して、バネ１１のさらに安全な着脱を可能にする。
【００３６】
したがって、本実施形態に係るバネの引っ張り具１によれば、バネ１１のフック部１２に引っ掛かるリング１３の脱落を防止しつつ、フック部１２そのものに引っ掛かることでバネ１１をより安全、確実に引き伸ばすことができる。
【符号の説明】
【００３７】
１  バネの引っ張り具
２  フック
２ａ  小径端部
２ｂ  大径端部
３  柄
５  小リング部
１１  バネ
１２、１２ａ、１２ｂ  フック部
１３、１３ａ、１３ｂ  リング
２１  装置
２２、２２ａ、２２ｂ  軸部
【図１】
0005845905.tif 000002
【図２】
0005845905.tif 000003
【図３】
0005845905.tif 000004